(57)【要約】【課題】  外壁パネルを建物の下地材に簡単に取り付けることができて、例えば地震によって第１及び第２ボルトが緩んだとしても、パネル取付け部材の挟持部が下地材から外れないようにすることができる外壁パネル取付具を提供すること。【解決手段】  外壁パネル６を建物の上側及び下側下地材１３、１４に取り付ける外壁パネル取付具１２であって、外壁パネル６との間に上側下地材１３を挟み込む挟持部１８と、挟持部１８と結合し第１及び第２ボルト３、４で外壁パネル６に固定される基端部１９とを有するパネル取付け部材１５を備え、基端部１９は、第１ボルト３が挿通されるボルト孔１０と、第２ボルト４が出入り可能な横幅で形成された切込み部２３とを有し、この切込み部２３の奥側部２４がその入口部よりも横幅が広く形成され、この奥側部２４に第２ボルト４に設けられている外れ止め部２５が嵌合される。【選択図】      図９
2006348581.tif 000002
【特許請求の範囲】
【請求項１】
外壁パネルを建物の下地材に取り付ける外壁パネル取付具であって、
前記外壁パネルとの間に前記下地材を挟み込む挟持部と、前記挟持部と結合し少なくとも２本の第１及び第２ボルトで前記外壁パネルに固定される基端部とを有するパネル取付け部材を備え、前記基端部は、前記第１ボルトが挿通されるボルト孔と、前記第２ボルトが出入り可能な横幅で形成された切込み部とを有し、この切込み部の奥側部がその入口部よりも横幅が広く形成され、この奥側部に前記第２ボルトに設けられている外れ止め部が嵌合されることを特徴とする外壁パネル取付具。
【請求項２】
前記外れ止め部は、前記第２ボルトが挿通する円板状体であることを特徴とする請求項１記載の外壁パネル取付具。
【請求項３】
前記第１及び第２ボルトは、前記外壁パネルの中空部に配置されるそれぞれのナットに螺合されることを特徴とする請求項１又は２記載の外壁パネル取付具。
【請求項４】
前記下地材と前記挟持部との間に配置されて、前記下地材に固着されるスライドストッパを備え、前記スライドストッパには、前記パネル取付け部材の縁部と係合することによって、前記パネル取付け部材が前記下地材に対してその長さ方向の一方又は両方の向きに移動することを防止する突起が設けられていることを特徴とする請求項１乃至３のいずれかに記載の外壁パネル取付具。
【請求項５】
前記パネル取付け部材の挟持部外表面に、パネル取付け部材の下地材に対する取付け位置を示す施行管理基準線を表示したことを特徴とする請求項１乃至４のいずれかに記載の外壁パネル取付具。
【請求項６】
外壁パネルをパネル取付け部材によって建物の下地材に取り付ける外壁パネルの取付け構造であって、
前記パネル取付け部材に設けられている挟持部と前記外壁パネルとの間に前記下地材を挟み込み、前記挟持部と結合する基端部が少なくとも２本の第１及び第２ボルトで前記外壁パネルに固定され、前記基端部は、前記第１ボルトが挿通されるボルト孔と、前記第２ボルトが出入り可能な横幅で形成された切込み部を有し、この切込み部の奥側部がその入口部よりも横幅が広く形成され、この奥側部に前記第２ボルトに設けられている外れ止め部が嵌合することを特徴とする外壁パネルの取付け構造。
【請求項７】
パネル取付け部材と少なくとも２本の第１及び第２ボルトとによって外壁パネルを建物の下地材に取り付ける外壁パネルの取付け方法において、
前記第１ボルトを、前記パネル取付け部材及び前記外壁パネルに設けたそれぞれのボルト孔に挿通すると共に、前記第２ボルトを、前記外壁パネルに設けたボルト孔に挿通して、前記第１及び第２ボルトを、前記外壁パネルの中空部に配置したそれぞれのナットに螺合させ、
前記パネル取付け部材が仮止めされた前記外壁パネルを前記下地材に対する取付け位置に配置して、前記パネル取付け部材を、前記第１ボルトを中心にして回転させて前記パネル取付け部材に形成した切込み部に前記第２ボルトを係合させ、
前記切込み部の入口部よりも横幅が広く形成されたその奥側部に、前記第２ボルトに設けられた外れ止め部を嵌合させて、前記第１及び第２ボルトを締め付けて前記外壁パネルを前記下地材に取り付けることを特徴とする外壁パネルの取付け方法。
【発明の詳細な説明】
【技術分野】
【０００１】
本発明は、外壁パネルを建物の下地材に取り付けるための外壁パネル取付具、外壁パネルの取付け構造及び外壁パネルの取付け方法に関する。
【背景技術】
【０００２】
従来の外壁パネル取付具として、例えば図１４に示すものがある（例えば、特許文献１参照。）。この外壁パネル取付具１は、同図に示すように、パネル取付け部材２と第１及び第２ボルト３、４とを備えている（同図には、第１ボルト３が表れていない。）。パネル取付け部材２は、その基端部２ｂが第１及び第２ボルト３、４と、ナット５、５とによって外壁パネル６に締付け固定されており、この状態で、パネル取付け部材２の挟持部２ａが、外壁パネル６との間に上側下地材（アングル）７を挟み込んでいる。このようにして、外壁パネル６の上部を上側下地材７に取り付けることができる。この上側下地材７は、建物の梁８に溶接されている。
【０００３】
この図１４は、外壁パネル６の上部を、外壁パネル取付具１によって上側下地材７に取り付けている例を示すが、この図１４に示す取付け構造と上下対称の取り付け構造で、外壁パネル６の下部も、外壁パネル取付具１によって下側下地材（図示せず）に取り付けられている。
【０００４】
次に、図１５〜図１８を参照して、この外壁パネル取付具１を使用して外壁パネル６の上部を上側下地材７に取り付ける手順を説明する。まず、図１５に示すように、第１ボルト３をパネル取付け部材２及び外壁パネル６に設けたそれぞれのボルト孔９、１０に挿通すると共に、第２ボルト４を、外壁パネル６に設けたボルト孔（図示せず）に挿通して、第１及び第２ボルト３、４を、外壁パネル６の中空部６ａに配置したそれぞれのナット５、５に螺合させる。
【０００５】
そして、図１６に示すように、パネル取付け部材２が仮止めされた外壁パネル６を上側及び下側下地材７の所定の取付け位置に配置する。ただし、図１６では、外壁パネル６の上部を上側下地材７の取付け位置に配置した状態を示す。次に、図１６〜図１８に示すように、パネル取付け部材２を、第１ボルト３を中心にして反時計方向に回転させて、パネル取付け部材２に形成した切込み部１１に第２ボルト４を係合させる。そして、第１及び第２ボルト３、４を締め付けることによって、外壁パネル６の上部を上側下地材７に取り付けることができる。同様にして、外壁パネル６の下部を下側下地材に取り付けることができる。
【特許文献１】特開平８−２７７５９３号公報
【発明の開示】
【発明が解決しようとする課題】
【０００６】
しかし、図１８に示す従来の外壁パネル取付具１では、例えば地震によって建物が揺れて、第１及び第２ボルト３、４の締め付けが緩むと、二点鎖線で示すように、パネル取付け部材２が第１ボルト３を中心にして時計方向に回転することが考えられる。このように、パネル取付け部材２が回転して、このパネル取付け部材２の挟持部２ａが上側下地材７から外れると、外壁パネル６の上部が上側下地材７から外れる恐れがある。
【０００７】
なお、パネル取付け部材２が第１ボルト３を中心にして時計方向に回転しないように、切込み部１１に代えて、ボルト孔をこのパネル取付け部材２に形成し、このボルト孔に第２ボルト４を挿通させることが考えられる。
【０００８】
しかし、切込み部１１に代えてボルト孔にすると、図１７に示すように、パネル取付け部材２を反時計方向に回転させることによって、第２ボルト４をそのボルト孔に挿通させることができないという問題がある。
【０００９】
ここで、図１７に示すように、パネル取付け部材２を、第１ボルト３を中心にして反時計方向に回転させて、切込み部１１に第２ボルト４を係合させるようにしているのは、切込み部１１に代えてボルト孔を形成して、このパネル取付け部材２を図１８に示す取付位置に第１及び第２ボルト３、４で仮止めしてしまうと、このパネル取付け部材２が邪魔となって、外壁パネル６を上側及び下側下地材７の取付け位置に配置できないからである。
【００１０】
また、外壁パネル６を上側及び下側下地材７の取付け位置に配置した状態で、パネル取付け部材２を外壁パネル６の上部に第１及び第２ボルト３、４で締め付け固定することも考えられるが、外壁パネル６を上側及び下側下地材７の取付け位置に配置した状態において、外壁パネル６の中空部６ａにナット５を配置して、そのナット５、５に第１及び第２ボルト３、４を螺合させるようにするには、中空部６ａの所定位置にナットを挿入してその位置に装着できるような、特殊な道具や特殊なナットを使用する必要があり、コストが嵩む。
【００１１】
本発明は、上記のような課題を解決するためになされたものであり、外壁パネルを建物の下地材に簡単に取り付けることができて、例えば地震によって第１及び第２ボルトが緩んだとしても、パネル取付け部材の挟持部が下地材から外れないようにすることができる外壁パネル取付具、この外壁パネル取付具を使用する外壁パネルの取付け構造、及び外壁パネルの取付け方法を提供することを目的としている。
【課題を解決するための手段】
【００１２】
本発明に係る外壁パネル取付具は、外壁パネルを建物の下地材に取り付ける外壁パネル取付具であって、前記外壁パネルとの間に前記下地材を挟み込む挟持部と、前記挟持部と結合し少なくとも２本の第１及び第２ボルトで前記外壁パネルに固定される基端部とを有するパネル取付け部材を備え、前記基端部は、前記第１ボルトが挿通されるボルト孔と、前記第２ボルトが出入り可能な横幅で形成された切込み部とを有し、この切込み部の奥側部がその入口部よりも横幅が広く形成され、この奥側部に前記第２ボルトに設けられている外れ止め部が嵌合されることを特徴とするものである。
【００１３】
この発明に係る外壁パネル取付具を使用して、外壁パネルを建物の下地材に取り付けるときは、例えばまず、第１ボルトを、パネル取付け部材及び外壁パネルに設けたそれぞれのボルト孔に挿通すると共に、第２ボルトを、外壁パネルに設けたボルト孔に挿通して、第１及び第２ボルトを、外壁パネルの例えば中空部に配置したそれぞれのナットに螺合させる。そして、このパネル取付け部材が仮止めされた外壁パネルを下地材に対する取付け位置に配置して、パネル取付け部材を、第１ボルトを中心にして回転させて、パネル取付け部材に形成した切込み部に第２ボルトを係合させる。次に、切込み部の奥側部に第２ボルトに設けられた外れ止め部を嵌合させて、第１及び第２ボルトを締め付ける。このようにして、外壁パネルを下地材に取り付けることができる。
【００１４】
このようにして取り付けられた外壁パネル取付具によると、例えば地震によって建物が揺れて、第１及び第２ボルトの締付けが緩んだとしても、第２ボルトに設けられている外れ止め部が切込み部の奥側部に嵌合しているので、この外れ止め部によって、切込み部が第２ボルトから外れる方向に回転することを防止することができる。これによって、パネル取付け部材は、第２ボルトから外れることがないので、下地材からも外れることがなく、従って、外壁パネルが下地材から外れないように係止することができる。
【００１５】
そして、この発明に係る外壁パネル取付具において、前記外れ止め部は、前記第２ボルトが挿通する円板状体とするとよい。このように、外れ止め部の形状を円板状体とすることによって、この外れ止め部をその向きと無関係に、切込み部の奥側部に簡単に嵌合させることができる。
【００１６】
また、この発明に係る外壁パネル取付具において、前記第１及び第２ボルトは、前記外壁パネルの中空部に配置されるそれぞれのナットに螺合されるようにしてもよい。このように、ナットを外壁パネルの中空部に配置する場合でも、それぞれのナットに対して第１及び第２ボルトを簡単に螺合させることができる。なぜなら、第１及び第２ボルトをナットに螺合させる作業を、外壁パネルを下地材に対する取付け位置に配置する前の段階、例えば地上で行うことができるからであり、このように地上で作業する状態では、外壁パネルの中空部にナットを装着し易いからである。
【００１７】
更に、この発明に係る外壁パネル取付具において、前記下地材と前記挟持部との間に配置されて、前記下地材に固着されるスライドストッパを備え、前記スライドストッパには、前記パネル取付け部材の縁部と係合することによって、前記パネル取付け部材が前記下地材に対してその長さ方向の一方又は両方の向きに移動することを防止する突起が設けられているようにするとよい。このようにすると、例えば地震によって、パネル取付け部材が下地材に対してその長さ方向の一方又は両方の向きに移動する力が働いた場合でも、下地材に固着されたスライドストッパの突起がパネル取付け部材の縁部と係合しているので、パネル取付け部材が下地材に対してその長さ方向に移動することを防止することができる。これによって、下地材と外壁パネルとの位置関係がずれることを防止することができる。
【００１８】
そして、この発明に係る外壁パネル取付具において、前記パネル取付け部材の挟持部外表面に、パネル取付け部材の下地材に対する取付け位置を示す施行管理基準線を表示するとよい。この施行管理基準線が下地材の例えば縁部と略一致するように、パネル取付け部材を第１及び第２ボルトで外壁パネルに取り付けると、例えば地震によって、パネル取付け部材と下地材との位置関係が、予め定めた範囲内でずれることがあっても、パネル取付け部材が下地材から外れないようにすることができる。よって、パネル取付け部材を外壁パネルの適切な位置に簡単に取り付けることができる。
【００１９】
そして、この発明に係る外壁パネル取付け構造は、外壁パネルをパネル取付け部材によって建物の下地材に取り付ける外壁パネルの取付け構造であって、前記パネル取付け部材に設けられている挟持部と前記外壁パネルとの間に前記下地材を挟み込み、前記挟持部と結合する基端部が少なくとも２本の第１及び第２ボルトで前記外壁パネルに固定され、前記基端部は、前記第１ボルトが挿通されるボルト孔と、前記第２ボルトが出入り可能な横幅で形成された切込み部を有し、この切込み部の奥側部がその入口部よりも横幅が広く形成され、この奥側部に前記第２ボルトに設けられている外れ止め部が嵌合することを特徴とするものである。
【００２０】
この外壁パネル取付け構造によると、上記のように、本発明の外壁パネル取付具を使用して外壁パネルを下地材に取り付けた構造と同様の作用を有するので、その説明を省略する。
【００２１】
また、この発明に係る外壁パネルの取付け方法は、パネル取付け部材と少なくとも２本の第１及び第２ボルトとによって外壁パネルを建物の下地材に取り付ける外壁パネルの取付け方法において、前記第１ボルトを、前記パネル取付け部材及び前記外壁パネルに設けたそれぞれのボルト孔に挿通すると共に、前記第２ボルトを、前記外壁パネルに設けたボルト孔に挿通して、前記第１及び第２ボルトを、前記外壁パネルの中空部に配置したそれぞれのナットに螺合させ、前記パネル取付け部材が仮止めされた前記外壁パネルを前記下地材に対する取付け位置に配置して、前記パネル取付け部材を、前記第１ボルトを中心にして回転させて前記パネル取付け部材に形成した切込み部に前記第２ボルトを係合させ、前記切込み部の入口部よりも横幅が広く形成されたその奥側部に、前記第２ボルトに設けられた外れ止め部を嵌合させて、前記第１及び第２ボルトを締め付けて前記外壁パネルを前記下地材に取り付けることを特徴とするものである。
【００２２】
この外壁パネルの取付け方法によると、上記のように、本発明の外壁パネル取付具を使用して外壁パネルを下地材に取り付けることができるので、その説明を省略する。
【発明の効果】
【００２３】
この発明に係る外壁パネル取付具、外壁パネルの取付け構造、及び外壁パネルの取付け方法によると、外壁パネルを下地材に対する取付け位置に配置する前の段階で、外壁パネル取付具を外壁パネルに仮止めしておくことができるので、下地材に対する取付け位置に配置した外壁パネルを、この仮止めされた外壁パネル取付具を使用して下地材に簡単に取り付けることができる。
【００２４】
そして、パネル取付け部材を外壁パネルに締結している第１及び第２ボルトが例えば地震によって緩んだとしても、外れ止め部によってパネル取付け部材が下地材から外れないようにすることができるので、外壁パネルが下地材から外れることを確実に防止することができる。
【発明を実施するための最良の形態】
【００２５】
以下、本発明に係る外壁パネル取付具の一実施形態を図１〜図１０を参照して説明する。そして、この実施形態で、この外壁パネル取付具１２を使用した外壁パネルの取付け構造、及びこの外壁パネル取付具１２を使用して、外壁パネル６を上側及び下側下地材１３、１４に取り付ける方法を説明する。この外壁パネル取付具１２は、図１に示すように、外壁パネル６を建物の上側下地材（例えばアングル）１３及び下側下地材（アングルであり、図１０参照）１４に取り付けることができるものであり、パネル取付け部材１５と第１及び第２ボルト３、４とを備えている（同図には、第１ボルト３が表れていない。）。なお、上側下地材１３及び下側下地材１４は、ブラケット（図１０参照）１６を介して建物の梁８に溶接されている。外壁パネル６は、例えば中空の押出成形セメント板である。
【００２６】
パネル取付け部材１５は、図２（ａ）、（ｂ）に示すように、略台形板状体の挟持部１８の下縁と、略矩形板状体の基端部１９の上縁とを結合部２０を介して互いに結合したものであり、この挟持部１８と基端部１９とは、互いに平行し、所定の間隔Ｋを隔てて配置されている。
【００２７】
挟持部１８は、例えば上側下地材１３を挟み込む部分であり、図２（ａ）に示すように、下縁部の左側の角部が略直角に形成され、右側の角部が約４５°に形成されている。そして、挟持部１８の表面には、下縁部と平行して２本の施行管理基準線２１、２１が表示されている。この基準線２１は、例えば溝で形成してもよい。
【００２８】
基端部１９は、外壁パネル６に固定される部分であり、図２（ａ）に示すように、左側部に第１ボルト３が挿通されるボルト孔２２が形成され、右側部にこの基端部１９の下縁で開口する切込み部２３が形成されている。この切込み部２３は、第２ボルト４の出入りが可能な横幅Ｗ１で形成され、この切込み部２３の奥側に略円形の奥側部２４が形成されている。この奥側部２４は、その入口部よりも広い横幅Ｗ２で形成され、図３（ｂ）、（ｃ）に示す外れ止め部２５が嵌合することができる大きさに形成されている。この外れ止め部２５は、直径Ｗ３（＜Ｗ２）の円板状体であり、中央に第２ボルト４が挿通する挿通孔２５ａを有している。また、この第２ボルト４には、図３（ｂ）に示すように、ボルト頭部側からバネワッシャ２６、座金２７及び外れ止め部２５が挿通している。
【００２９】
図１は、外壁パネル６の上部を、外壁パネル取付具１２によって上側下地材１３に取り付けている例を示すが、この図１に示す外壁パネル６の取付け構造と上下対称の取り付け構造で、外壁パネル６の下部も、外壁パネル取付具１２によって下側下地材１４に取り付けられている。
【００３０】
次に、図５〜図９を参照して、この外壁パネル取付具１２を使用して外壁パネル６の上部を上側下地材１３に取り付ける手順を説明する。まず、図５に示すように、例えばこの外壁パネル６を上側及び下側下地材１３、１４に対する取付け位置に配置する前の段階で、第１ボルト３を、パネル取付け部材１５及び外壁パネル６に設けたそれぞれのボルト孔２２、１０に挿通すると共に、第２ボルト４を、外壁パネル６に設けたボルト孔（図６参照）２８に挿通する。そして、第１及び第２ボルト３、４を、外壁パネル６の中空部６ａに配置したそれぞれのナット５、５に螺合させる。なお、第１ボルト３には、バネワッシャ（図示せず）２６、座金２７及び外れ止め部２５が挿通しており、第２ボルト４には、バネワッシャ（図示せず）２６及び座金２７が挿通している。そして、外壁パネル６は、内側に中空部６ａが形成されており、この中空部６ａに略矩形板状体のナット５、５を配置する。
【００３１】
そして、図５に示すようにして外壁パネル取付具１２が仮止めされた外壁パネル６を、図６に示すように（第１及び第２ボルト３、４の頭部を省略している。）、上側及び下側下地材１３、１４に対する所定の取付け位置に配置する。ただし、図６では、外壁パネル６の上部を上側下地材１３の取付け位置に配置した状態を示す。次に、図６〜図８に示すように、パネル取付け部材１５を、第１ボルト３を中心にして時計方向に回転させて、パネル取付け部材１５に形成した切込み部（奥側部２４）２３に第２ボルト４を係合させる。次に、図９に示すように、切込み部２３の奥側部２４に第２ボルト４に装着された外れ止め部２５を嵌合させて、第１及び第２ボルト３、４を対応する各ナット５、５に締め付ける。これによって、外壁パネル６の上部を上側下地材１３に取り付けることができる。同様にして、別の外壁パネル取付具１２を使用して、外壁パネル６の下部を下側下地材１４に取り付けることができる。
【００３２】
図１は、外壁パネル６を上側下地材１３に取り付けた状態を示し、パネル取付け部材１５の基端部１９は、第１及び第２ボルト（同図には、第１ボルト３が表れていない。）３、４と、これら第１及び第２ボルト３、４に螺合するナット５、５とによって外壁パネル６の上部に締付け固定されている。この状態で、パネル取付け部材１５の挟持部１８が、外壁パネル６との間に上側下地材１３を挟み込んでいる。
【００３３】
このようにして取り付けられた外壁パネル取付具１２によると、例えば地震によって建物が揺れて、第１及び第２ボルト３、４の締付けが緩んだとしても、図９に示すように、第２ボルト４に設けられている外れ止め部２５が切込み部２３の奥側部２４に嵌合しているので、この外れ止め部２５によって、切込み部２３が第２ボルト４から外れる反時計方向    に回転することを防止することができる。これによって、パネル取付け部材１５は、第２ボルト４から外れることがないので、上側下地材１３からも外れることがなく、従って、外壁パネル６が上側下地材１３から外れることを確実に防止することができる。
【００３４】
また、この実施形態に係る外壁パネル取付具１２、外壁パネルの取付け構造、及び外壁パネルの取付け方法によると、外壁パネル６を上側及び下側下地材１３、１４に対する取付け位置に配置する前の段階で、図５に示すように、外壁パネル取付具１２を外壁パネル６に仮止めしておくことができるので、図６〜図９に示すように、上側及び下側下地材１３、１４に対する取付け位置に配置した外壁パネル６を、この仮止めされた外壁パネル取付具１２を使用して各下地材１３、１４に簡単に取り付けることができる。
【００３５】
更に、図９に示すように、外れ止め部２５は、円板状体として形成したので、この外れ止め部２５をその向きと無関係に、切込み部２３の略円形の奥側部２４に簡単に嵌合させることができる。
【００３６】
そして、図５に示すように、第１及び第２ボルト３、４に螺合させるそれぞれのナット５、５は、外壁パネル６の中空部６ａに配置することができる。これによって、ナット５、５が外壁パネル６の外表面に現れることがなく、美観を良くすることができる。そして、このようにナット５、５を外壁パネル６の中空部６ａに配置する場合でも、それぞれのナット５、５に対して第１及び第２ボルト３、４を簡単に螺合させることができるので、外壁パネル６を上側及び下側下地材１３、１４に簡単に取り付けることができる。つまり、第１及び第２ボルト３、４をそれぞれのナット５、５に螺合させる作業を、外壁パネル６を下地材１３、１４に対する取付け位置に配置する前の段階、例えば地上で行うことができるからである。
【００３７】
図１０は、図１に示す外壁パネル取付具１２を使用して、矩形の縦長の外壁パネル６を上側及び下側下地材１３、１４に取り付けている状態（縦張り工法）を示している。これら上側及び下側下地材１３、１４は、互いに間隔を隔てて水平に配置され、ブラケット１６を介して梁８に溶接されている。そして、外壁パネル６の上部及び下部のそれぞれに、外壁パネル取付具１２が２つずつ取り付けられている。ただし、パネル取付け部材１５の挟持部１８に傾斜辺として設けた切欠き部２９、及び基端部１９に設けた切込み部２３は、図１０に示すように、正面から見て右側部に形成してもよいし、正面から見て左側部に形成してもよい。
【００３８】
また、この実施形態では、図１に示すように、パネル取付け部材１５の挟持部１８を、上側下地材１３に対して直接に接触させて押し付けるように取り付けたが、図１０のＡ部拡大図に示すように、上側下地材１３と挟持部１８との間にスライドストッパ３０を配置した外壁パネル取付具１２としてもよい。
【００３９】
スライドストッパ３０は、図４（ａ）、（ｂ）に示すように、矩形の板状部３０ａの一方の端縁を屈曲させて突起３０ｂを形成したものである。このスライドストッパ３０は、例えば図１０のＡ部拡大図に示すように、上側下地材１３に溶接部３１で溶接され、突起３０ｂが挟持部１８の左側縁部と係合するように設けられて使用される。また、図１０に示すように、Ａ部に設けられている外壁パネル取付具１２の左側位置には、Ａ部の外壁パネル取付具１２と左右対称形の別の外壁パネル取付具１２が設けられている。この外壁パネル取付具１２に対しては、突起３０ｂが挟持部１８の右側縁部と係合するようにこのスライドストッパ３０が設けられている。
【００４０】
図１０に示すように、スライドストッパ３０が設けられた少なくとも左右一対の外壁パネル取付具１２、１２によると、例えば地震によって、パネル取付け部材１５が上側下地材１３に対してその長さ方向（水平方向）の一方又は両方の向きに移動する力が働いた場合でも、下地材１３に溶接（固着）されたそれぞれのスライドストッパ３０の突起３０ｂが、それぞれと対応する挟持部１８の左側及び右側縁部と係合しているので、パネル取付け部材１５が上側下地材１３に対してその長さ方向（水平方向）に移動することを防止することができる。これによって、上側及び下側下地材１３、１４と外壁パネル６との位置関係が水平方向にずれることを確実に防止することができる。
【００４１】
図１１は、図１に示す外壁パネル取付具１２を使用して、横方向に長い矩形の外壁パネル６を左側及び右側下地材３３、３４に取り付けている状態（横張り工法）を示している。これら左側及び右側下地材３３、３４は、互いに間隔を隔てて鉛直方向に配置され、ブラケット１７を介して柱３５に溶接されている。そして、外壁パネル６の左側部及び右側部のそれぞれに、外壁パネル取付具１２が２つずつ取り付けられている。
【００４２】
また、この実施形態では、図１０に示すように、パネル取付け部材１５の挟持部１８を、上下の各下地材１３、１４に対して固着せずに、着脱自在に押し付けるように取り付けたが、図１１のＢ部拡大図に示すように、横張り工法の外壁パネル６の下部に取り付けられる下側のパネル取付け部材１５の挟持部１８を、左右の各下地材３３、３４に対して溶接してもよい。そして、左右の各下地材３３、３４と外壁パネル６との間にパッキン（緩衝材）３６を挟み込む構成としてもよい。
【００４３】
図１２及び図１３は、例えば外壁パネル６の長さを５，０００ｍｍ、横幅を１，２００ｍｍとし、横幅方向に取り付けられた外壁パネル取付具１２と１２の間隔を１，０５６ｍｍ、層間変位を１／１００と設定して、外壁パネル６のＡ、Ｂ及びＣの各点に取り付けられている外壁パネル取付具（パネル取付け部材１５）１２の変位量を算出し、外壁パネル取付具１２の必要とされる寸法及び取付け位置を説明する。
【００４４】
図１２（ａ）は、図１０に示す縦張り工法の場合であり、パネル取付け部材１５は、図１に示すように、上下の各下地材１３、１４との間に外壁パネル６を挟み込んでいるものとする。層間変位時において、外壁パネル６の右下部のＯ点を支点にロッキングすると、Ａ、Ｂ及びＣの各点に取り付けられているパネル取付け部材１５が上下の各下地材１３、１４に対して相対的に移動する。このように、各点に取り付けられているパネル取付け部材１５が移動しても、このパネル取付け部材１５が上下の各下地材１３、１４から外れないようにすることができる。
【００４５】
今、図１２（ｂ）に示すように、パネル取付け部材１５が外壁パネル６に第１及び第２ボルト（図示せず）３、４で固定され、このパネル取付け部材１５の挟持部１８に表示されている２本の施行管理基準線２１、２１の間に、上側及び下側下地材１３、１４の各縁部３７が位置するように、パネル取付け部材１５が取り付けられているとする。例えば、２本の施行管理基準線２１の間隔ｃは、１０ｍｍ、上側及び下側下地材１３、１４の各縁部３７が挟持部１８の先端縁に向かう方向に移動するときの許容移動量ａは、１５ｍｍ以下、上側及び下側下地材１３、１４の各縁部３７が挟持部１８から基端部１９に向かう方向に移動するときの許容移動量ｂは、１５ｍｍ以下に設定されている。ｄは、パネル取付け部材１５の挟持部１８と下地材１３、１４との係合に必要とされる最小長さであり、１５ｍｍである。
【００４６】
ここで、図１２（ｂ）に示すように、１／１００の層間変位におけるＡ、Ｂ及びＣの各点に取り付けられたパネル取付け部材１５の上下方向（Ｙ方向）の移動量は、＋１０ｍｍ、−０．２６ｍｍ、＋１０．６ｍｍであるので、それぞれ許容移動量ａ、ｂ（１５ｍｍ以下）の範囲内となっている。ただし、Ａ、Ｂ及びＣの各点に取り付けられているパネル取付け部材１５が左右方向（Ｘ方向）に移動しても、挟持部１８が下地材１３、１４から外れることがないのでの、その説明を省略する。
【００４７】
図１３（ａ）は、図１１に示す横張り工法の場合である。ただし、図１１に示すように、外壁パネル６の上部に取り付けられている上側の一対のパネル取付け部材１５は、左右の各下地材３３、３４に溶接されておらず、下側の一対のパネル取付け部材１５は、左右の各下地材３３、３４に溶接部３２で溶接されているものとする。層間変位時において、柱３５と平行する支柱線３８が右側に傾斜して、外壁パネル６が水平右方向にスライドすると、上側の一対のパネル取付け部材１５が水平右方向に、左右の各下地材３３、３４に対してＸだけ相対的に移動する。そして、下側の溶接された一対のパネル取付け部材１５は、溶接部３２を中心にしてθだけ回転して、パネル取付け部材１５の切込み部２３に形成されている奥側部２４が略鉛直方向に、外壁パネル６に対してＥだけ相対的に移動する。このように、４つの各点に取り付けられているパネル取付け部材１５が移動したり回転（揺動）しても、パネル取付け部材１５が左右の各下地材３３、３４から外れないようにすることができるし、パネル取付け部材１５の回転を許容することができる。
【００４８】
今、図１３（ａ）、（ｂ）に示すように、パネル取付け部材１５が外壁パネル６に第１及び第２ボルト（図示せず）３、４で固定されており、このパネル取付け部材１５の挟持部１８に表示されている２本の施行管理基準線２１、２１の間に、左側及び右側下地材３３、３４の各縁部３７が位置するように、パネル取付け部材１５が取り付けられているとする。ただし、上記と同様に、例えば図１３（ｂ）に示す２本の施行管理基準線２１、２１の間隔ｃは、１０ｍｍ、左側及び右側下地材３３、３４の各縁部３７が挟持部１８の先端縁に向かう方向に移動するときの許容移動量ａは、１５ｍｍ以下、左側及び右側下地材３３、３４の各縁部３７が挟持部１８から基端部１９に向かう方向に移動するときの許容移動量ｂは、１５ｍｍ以下に設定されている。ｄは、パネル取付け部材１５の挟持部１８と下地材３３、３４との係合に必要とされる最小長さであり、１５ｍｍである。そして、切込み部２３の奥側部２４の内径と外れ止め部２５の外径との隙間ｆは、１．５ｍｍである。また、図１３（ａ）に示すように、左右の下地材３３、３４の各縁部３７から奥側部（切込み部２３）２４の中心までの寸法ｅは、５０ｍｍである。
【００４９】
ここで、図１３（ｂ）に示すように、１／１００の層間変位における、一対の上側パネル取付け部材１５の左右方向（Ｘ方向）の移動量は、９ｍｍであるので、それぞれ許容移動量ａ、ｂ（１５ｍｍ以下）の範囲内となっている。そして、切込み部２３の奥側部２４が外れ止め部２５に対して鉛直上方向に移動する量Ｅは、０．５ｍｍであり、許容移動量ｆ（１．５ｍｍ以下）の範囲内となっている。この場合、溶接されたパネル取付け部材１５は、溶接部３２を中心にしてθ（＝１／１００ｒａｄ＝０．５７°）だけ回転する。
【００５０】
これら図１２及び図１３に示すように、パネル取付け部材１５の挟持部１８の外表面に、パネル取付け部材１５の下地材１３、１４、３３、３４に対する取付け位置を示す２本の施行管理基準線２１、２１を表示したことによって、作業者は、この２本の施行管理基準線２１、２１の間に下地材１３等の縁部３７が位置するように、パネル取付け部材１５を第１及び第２ボルト３、４で外壁パネル６に簡単に取り付けることができる。このような位置関係でパネル取付け部材１５を外壁パネル６に取り付けると、例えば地震によって、パネル取付け部材１５と下地材１３等との位置関係が、予め定めた範囲内でずれることがあっても、パネル取付け部材１５が下地材１３等から外れないようにすることができる。よって、作業者は、パネル取付け部材１５を外壁パネル６の適切な位置に簡単に取り付けることができる。
【００５１】
ただし、図１０に示す実施形態では、上側下地材１３に対して設けられているそれぞれの外壁パネル取付具１２にスライドストッパ３０を適用したが、上側及び下側下地材１３、１４に対して設けられているそれぞれの外壁パネル取付具１２に対してそれぞれスライドストッパ３０を適用してもよい。
【００５２】
そして、図７に示すように、この実施形態のパネル取付け部材１５では、挟持部１８の右側縁に切欠き部２９を設けたが、この切欠き部２９を設けずに、挟持部１８を略矩形の板状体としてもよい。このようにした場合は、パネル取付け部材１５を回転させて取付け位置に設定できるように、下地材１３等の形状、大きさ等を変更してもよい。
【００５３】
また、上記実施形態では、図１０のＡ部拡大図に示すように、スライドストッパ３０の突起３０ｂが挟持部１８の左側縁部と係合するようにしたが、これに代えて、挟持部１８を矩形の板状体に形成すると共に、スライドストッパ３０の板状部３０ａの両方の各端縁に突起３０ｂを設け、これら両方の各突起３０ｂが挟持部１８の左側及び右側の各縁部と係合するようにしてもよい。
【００５４】
更に、上記実施形態では、図１１のＢ部拡大図に示すように、外壁パネル６の下部に取り付けられている一対のパネル取付け部材１５の各挟持部１８を、左右の各下地材３３、３４に溶接したが、各挟持部１８を左右の各下地材３３、３４に溶接しないようにしてもよい。そして、外壁パネル６の上部及び下部に取り付けられている合計４つのパネル取付け部材１５の各挟持部１８を左右の各下地材３３、３４に溶接してもよい。
【００５５】
そして、上記実施形態では、図２（ａ）に示すように、パネル取付け部材１５の基端部１９に切込み部２３を１つ設けたが、これに代えて、基端部１９に切込み部２３を２つ設けてもよい。このように、切込み部２３を２つ設けることによって、ボルト孔２２の分を含めて合計３本のボルトでパネル取付け部材１５を外壁パネル６に固定することができ、外壁パネル６の取付け強度を向上させることができる。
【産業上の利用可能性】
【００５６】
以上のように、本発明に係る外壁パネル取付具、外壁パネルの取付け構造、及び外壁パネルの取付け方法は、外壁パネルを建物の下地材に簡単に取り付けることができて、例えば地震によって第１及び第２ボルトが緩んだとしても、パネル取付け部材の挟持部が下地材から外れないようにすることができる優れた効果を有し、このような外壁パネル取付具、外壁パネルの取付け構造、及び外壁パネルの取付け方法等に適用するのに適している。
【図面の簡単な説明】
【００５７】
【図１】この発明の実施形態に係る外壁パネルの取付け構造を示す断面図である。
【図２】（ａ）は、同実施形態に係るパネル取付け部材の正面図、（ｂ）は同パネル取付け部材の側面図である。
【図３】（ａ）は、同実施形態に係る外れ止め部が装着された第２ボルトの左側面図、（ｂ）は同第２ボルトの正面図、（ｃ）は同第２ボルトの右側面図である。
【図４】（ａ）は、同実施形態に係るスライドストッパの平面図、（ｂ）は同スライドストッパの正面図である。
【図５】同実施形態の外壁パネル取付具を外壁パネルに取り付ける手順を示す斜視図である。
【図６】同実施形態の外壁パネル取付具を外壁パネルに仮止めした状態を示す正面図である。
【図７】同実施形態のパネル取付け部材を回転させている途中の状態を示す正面図である。
【図８】同実施形態のパネル取付け部材を回転させて取付け位置に移動した状態を示す正面図である。
【図９】同実施形態のパネル取付け部材を取付け位置に回転移動させて外れ止め部を嵌合させた状態を示す正面図である。
【図１０】同実施形態の外壁パネル取付具を使用した縦張り構造を示す斜視図である。
【図１１】同実施形態の外壁パネル取付具を使用した横張り構造を示す斜視図である。
【図１２】（ａ）は同実施形態の外壁パネル取付具を使用した縦張り構造の層間変位を示す図、（ｂ）は同縦張り構造に層間変位が生じた時のパネル取付け部材の移動量及び許容移動量を示す図である。
【図１３】（ａ）は同実施形態の外壁パネル取付具を使用した横張り構造の層間変位を示す図、（ｂ）は同横張り構造に層間変位が生じた時のパネル取付け部材の移動量及び許容移動量を示す図である。
【図１４】従来の外壁パネルの取付け構造を示す断面図である。
【図１５】同従来の外壁パネル取付具を外壁パネルに取り付ける手順を示す斜視図である。
【図１６】同従来の外壁パネル取付具を外壁パネルに仮止めした状態を示す正面図である。
【図１７】同従来のパネル取付け部材を回転させている途中の状態を示す正面図である。
【図１８】同従来のパネル取付け部材を回転させて取付け位置に移動した状態を示す正面図である。
【符号の説明】
【００５８】
３  第１ボルト
４  第２ボルト
５  ナット
６  外壁パネル
８  梁
１０、２２、２８  ボルト孔
１２  外壁パネル取付具
１３  上側下地材
１４  下側下地材
１５  パネル取付け部材
１６、１７  ブラケット
１８  挟持部
１９  基端部
２０  結合部
２１  施行管理基準線
２３  切込み部
２４  奥側部
２５  外れ止め部
２６  バネワッシャ
２７  座金
２９  切欠き部
３０  スライドストッパ
３１、３２  溶接部
３３  左側下地材
３４  右側下地材
３５  柱
３６  パッキン
３７  下地材の縁部
３８  支柱線
【図１】
2006348581.tif 000003
【図２】
2006348581.tif 000004
【図３】
2006348581.tif 000005
【図４】
2006348581.tif 000006
【図５】
2006348581.tif 000007
【図６】
2006348581.tif 000008
【図７】
2006348581.tif 000009
【図８】
2006348581.tif 000010
【図９】
2006348581.tif 000011
【図１０】
2006348581.tif 000012
【図１１】
2006348581.tif 000013
【図１２】
2006348581.tif 000014
【図１３】
2006348581.tif 000015
【図１４】
2006348581.tif 000016
【図１５】
2006348581.tif 000017
【図１６】
2006348581.tif 000018
【図１７】
2006348581.tif 000019
【図１８】
2006348581.tif 000020